(57)【要約】【課題】  クリーンルーム等のように室圧を厳密に管理することが要求されている室からは、常時、ある量の室内空気が排気されているので、この排気を倉庫等の他の施設に供給して空調に有効利用できれば省エネルギーを図ることができる。【解決手段】  このような課題を解決するために、本発明では、安定した室圧が要求される室１の排気系統２と、他の空調空間６の給気系統７とを、大気に開放されたチャンバー１０を介して接続し、給気系統の給気ファン７を排気系統の排気ファン３とは独立して運転可能に構成した排熱回収空調機構を提案するものである。【選択図】      図１
2005037033.tif 000002
【特許請求の範囲】
【請求項１】
安定した室圧が要求される室の排気系統と、他の空調空間の給気系統とを、大気に開放されたチャンバーを介して接続し、給気系統の給気ファンを排気系統の排気ファンとは独立して運転可能に構成したことを特徴とする排熱回収空調機構
【請求項２】
チャンバーは開口により大気に開放する構成としたことを特徴とする請求項１に記載の排熱回収空調機構
【請求項３】
チャンバーは圧力調整ダンパーを設けた開口により大気に開放する構成としたことを特徴とする請求項１に記載の排熱回収空調機構
【発明の詳細な説明】
【技術分野】
【０００１】
本発明は、クリーンルームや恒温恒湿室等の特殊空調室から一般空調室に至るまで、安定した室圧が要求され、所定の空調が行われている室からの排気を他の空調空間に供給して有効利用するための排熱回収空調機構に関するものである。
【背景技術】
【０００２】
例えば製薬関連施設では、医薬品を製造するクリーンルームと、原料や製品を保管する倉庫が併設されており、保管中の品質劣化を防ぐために、倉庫においても、ある一定の温湿度条件を満たす空調が要求されている。このため、製品倉庫は全体が空調される構成となっており、そのためのエネルギーが消費されている。
【０００３】
一方、クリーンルームは、温湿度等の室内空気の条件が、年間を通じて、例えば、温度２３℃、湿度５０％程度に維持されており、このような空気条件や清浄度が外部からの空気の流入で影響されないようにするために、室内は、一定の陽圧となるように管理されている。即ち、精密空調を要求されて陽圧に維持される室では、加圧給気と排気が常時行われて一定の室圧が維持されるように厳密に管理され、この際、扉の開閉時等の外乱が発生した場合にも要求された室圧が維持されるように、差圧ダンパー等で排気が制御される。
【０００４】
このように、クリーンルームからは、常時、ある量の室内空気が排気されているので、この排気を倉庫に供給して空調に有効利用すれば省エネルギーを図ることができる。
【０００５】
そしてこれを行うための機構として、理屈上は、クリーンルームの排気系統の下流側を倉庫の給気系統に接続した空調機構を想定することができる。
【発明の開示】
【発明が解決しようとする課題】
【０００６】
ところが、クリーンルームは、上述したとおり、年間を通じて温度２３℃、湿度５０％程度に維持されているため、この条件の空気を、冬期において倉庫の空調に使用すると、倉庫内において結露を生じてしまう。そのため冬期においては、排気ファンを停止したり、ダンパーを切換える等の操作により、排気の供給動作を停止する必要がある。
【０００７】
しかるにクリーンルームは室圧を厳密に管理することが要求され、その排気を他の空調空間の空調に有効利用する場合には、室圧を乱さないようにすることが絶対条件であるのに対して、上述した排気ファンの停止やダンパーの切換え操作は、室圧を乱す要因となるため行うことができない。
【０００８】
従ってクリーンルームの排気系統の下流側を、倉庫の給気系統に直接的に接続した構成では、クリーンルームの排気を他の空調空間に有効利用することはできない。
【０００９】
本発明はこのような課題を解決することを目的とするものである。尚、本発明が対象とする室は、以上に説明したクリーンルームの他に、恒温恒湿室等の特殊空調室から一般空調室まで、安定した室圧が要求される室の全てを含むものである。
【課題を解決するための手段】
【００１０】
上述した課題を解決するために本発明では、安定した室圧が要求される室の排気系統と、他の空調空間の給気系統とを、大気に開放されたチャンバーを介して接続し、給気系統の給気ファンを排気系統の排気ファンとは独立して運転可能に構成した排熱回収空調機構を提案するものである。
【００１１】
そしてこの発明において、上記チャンバーは開口により大気に開放する構成とすることを提案する。
【００１２】
また本発明において、上記チャンバーは圧力調整ダンパーを設けた開口により大気に開放する構成とすることを提案する。
【００１３】
本発明においては、安定した室圧が要求される室内の空気は、常時運転している排気ファンにより排気系統を通して排気され、チャンバー内に噴出する。
【００１４】
この時、給気系統の給気ファンを運転している場合には、チャンバー内に噴出した空気は、給気ファンによりチャンバー内から給気系統に吸引され、給気系統を流れて他の空調空間に供給されて、空調に供される。
【００１５】
一方、給気系統の給気ファンを運転していない場合には、チャンバー内に噴出した空気は、給気系統に吸引されずに大気に開放される。こうして給気系統を経て空調空間に供給されないので、冬期の運転等における結露の発生を防止することができる。
【００１６】
このように排気系統と給気系統を結ぶチャンバーは大気に開放されているので、排気系統の排気ファンは何らの支障がなく連続的に運転を継続することができると共に、給気系統の給気ファンが停止状態から運転状態に又は運転状態から停止状態に移行した場合でも、排気系統における排気の背圧の変化は小さく、室圧を乱す要因とならない。
【００１７】
こうして本発明では、中間期や夏期において、クリーンルーム等の安定した室圧が要求され、所定の空調が行われている室の排気を、倉庫等の他の空調空間の空調に供することができ、排熱を回収して有効利用することができると共に、冬期等においては、上記室からの空気を他の空調空間に供給しないことにより、結露の発生を防止することができる。
【００１８】
上記チャンバーは開口により大気に開放する構成とする他、開口に圧力調整ダンパーを設けた構成とすれば、排気系統における排気の背圧の変化を更に小さくすることができ、こうして安定した室圧が要求される室への影響を更に小さくすることができる。
【発明の効果】
【００１９】
以上の本発明によれば、クリーンルームや恒温恒湿室等の特殊空調室から一般空調室に至る各種の室において、安定した室圧が要求され、所定の空調が行われている室からの排気を他の空調空間に供給して有効利用することができる。従って空調設備費と運転費を低減することができる。
【実施例１】
【００２０】
次に本発明の実施の形態を図を参照して説明する。
図１は本発明の排熱回収空調機構の第１の実施の形態を概念的に示す系統図であり、図中符号１はクリーンルーム等の安定した室圧が要求される室を示すものである。上述したとおり本発明が対象とする室１は、クリーンルームの他、恒温恒湿室等の特殊空調室から一般空調室まで、安定した室圧が要求される適宜の室を含むものである。
室１は、クリーンルームの場合には、温湿度等の室内空気の条件が、年間を通じて、例えば、温度２３℃、湿度５０％程度に維持されており、このような空気条件や清浄度が外部からの空気の流入で影響されないようにするために、室１内は、一定の陽圧となるように管理されている。即ち、室１は加圧給気と排気が常時行われて一定の室圧が維持されるように厳密に管理され、この際、扉の開閉時等の外乱が発生した場合にも要求された室圧が維持されるように、差圧ダンパー等で排気が制御される構成となっている。符号２は排気系統であり、この排気系統２は排気ファン３により、吸引口４を介して室１の空気を吸引して排気する構成としている。この排気系統２の構成は、クリーンルーム等における従来の適宜の構成を適用することができる。
【００２１】
次に符号５は室１に近接して設置された倉庫等の他の施設であり、６はその空調空間を示すものである。この施設５は例えばクリーンルームで製造された医薬品等の製品や原材料の倉庫である。
符号７は給気系統であり、この給気系統７は給気ファン８により給気口９から空調空間６内に空気を供給する構成としている。
【００２２】
しかして本発明では、上記排気系統２と給気系統７を、大気に開放されたチャンバー１０を介して接続しており、給気系統７の給気ファン８は、排気系統２の排気ファン３とは独立して運転可能に構成している。
【００２３】
図において、チャンバー１０は大気に開放するための開口１１を下側に設けた構成として雨水等の侵入を防止している。
【００２４】
以上の構成において、排気系統２の排気ファン３は常時運転状態であり、室１内の空気は、排気ファン３により吸引口４から吸引されて排気系統２を通り、チャンバー１０内に噴出する。
【００２５】
この時、夏期や中間期においては、給気系統７の給気ファン８を運転することにより、チャンバー１０内に噴出した室１の排気は、給気ファン８によりチャンバー１０内から給気系統７に吸引され、給気系統７を流れて給気口９から施設５の空調空間６内に噴出して空調に供される。
【００２６】
こうして中間期や夏期において、クリーンルーム等の安定した室圧が要求され、所定の空調が行われている室１の排気を、倉庫等の他の施設５の空調空間６の空調に供することができ、排熱を回収して有効利用することができる。
【００２７】
尚、他の施設５には、勿論、それ用の空調機を設置することができ、上記給気系統７の動作と連携して空調空間６の所定の空調を行うことができる。
【００２８】
一方、冬期において、上記室１の排気を空調空間６に供給すると結露を発生すると予想される場合には、給気系統７の給気ファン８は運転を停止し、上述した空調機のみで空調空間６の空調を行う。こうして上記室１の排気が給気系統７を経て空調空間６に供給されないので、空調空間６における結露の発生を防止することができる。
【００２９】
排気系統２と給気系統７を結ぶチャンバー１０は大気に開放されているので、排気は給気系統７に吸引されないでも開口１１を経てチャンバー１０外に放散されるので、排気系統２の排気ファン３は何らの支障がなく連続的に運転を継続することができると共に、給気系統７の給気ファン８が停止状態から運転状態に又は運転状態から停止状態に移行した場合でも、排気系統２における排気の背圧の変化は小さく、従って室１の室圧を乱す要因とはならない。
【実施例２】
【００３０】
次に図２は本発明の排熱回収空調機構の第２の実施の形態を概念的に示す系統図であり、この第２の実施の形態はチャンバーの構成が第１の実施の形態と相違するのみで、他の構成と動作は同様である。従って図２では、第１の実施の形態の図１中の要素に対応する要素には、同一の符号を付して重複する説明は省略する。
即ち、この第２の実施の形態では、チャンバー１０は開口１１に圧力調整ダンパー１２を設けたことを特徴とするものである。
【００３１】
この構成の場合には、チャンバー１０内の排気は、圧力調整ダンパー１２により、一定の圧力に保持される作用を受けるので、上述したように給気系統７の給気ファン８が停止状態から運転状態に又は運転状態から停止状態に移行した場合でも、排気系統２における排気の背圧の変化は更に小さくなり、従って室１への悪影響を更に効果的に防止することができる。
【００３２】
尚、圧力調整ダンパー１２としては、例えば、差圧ダンパーやチャッキダンパー等を利用することができる。
【産業上の利用可能性】
【００３３】
本発明は以上のとおりであるので、クリーンルームや恒温恒湿室等の特殊空調室から一般空調室に至る各種の室において、安定した室圧が要求され、所定の空調が行われている室からの排気を他の空調空間に供給して有効利用することができる。従って空調設備費と運転費を低減することができる。
【図面の簡単な説明】
【００３４】
【図１】本発明の排熱回収空調機構の第１の実施の形態を概念的に示す系統図である。
【図２】本発明の排熱回収空調機構の第２の実施の形態を概念的に示す系統図である。
【符号の説明】
【００３５】
１                  室（クリーンルーム等）
２                  排気系統
３                  排気ファン
４                  吸引口
５                  施設
６                  空調空間
７                  給気系統
８                  給気ファン
９                  給気口
１０                チャンバー
１１                開口
１２                圧力調整ダンパー
【図１】
2005037033.tif 000003
【図２】
2005037033.tif 000004